(57)【要約】【課題】空気温調装置及び給湯装置の一方から他方へ熱を供給可能な熱融通設備を提供する。【解決手段】被空調空間を温度調整する室内機側熱交換器１１と屋外に配置された室外機側熱交換器１２が熱媒循環回路１３によって接続された空気温調装置１４と、貯湯タンク１５内に湯水を貯留する給湯装置１６と、貯湯タンク１５内の湯水と熱媒循環回路１３を流れる熱媒を熱交換する熱交換回路１７とを備え、熱交換回路１７を介した貯湯タンク１５内から熱媒循環回路１３への熱の供給、及び、熱交換回路１７を介した熱媒循環回路１３から貯湯タンク１５内への熱の供給のいずれか一方、又は、双方を行う。【選択図】図１
2015232410.tif 000002
【特許請求の範囲】
【請求項１】
被空調空間を温度調整する室内機側熱交換器と屋外に配置された室外機側熱交換器が熱媒循環回路によって接続された空気温調装置と、
貯湯タンク内に湯水を貯留する給湯装置と、
前記貯湯タンク内の湯水と前記熱媒循環回路を流れる熱媒を熱交換する熱交換回路とを備え、
前記熱交換回路を介した前記貯湯タンク内から前記熱媒循環回路への熱の供給、及び、前記熱交換回路を介した前記熱媒循環回路から前記貯湯タンク内への熱の供給のいずれか一方、又は、双方を行うことを特徴とする熱融通設備。
【請求項２】
請求項１記載の熱融通設備において、前記貯湯タンク内の湯水の熱を、前記熱交換回路及び前記熱媒循環回路を介して前記室内機側熱交換器に与え、該室内機側熱交換器から放熱して前記被空調空間の暖房を行うことを特徴とする熱融通設備。
【請求項３】
請求項２記載の熱融通設備において、浴槽と、前記貯湯タンク内の湯水を循環させて前記浴槽内の湯水に熱を与える追焚き回路とを備え、前記室内機側熱交換器に熱を与えるのは、前記浴槽内の湯水に熱を与えて温度が低下した前記貯湯タンク内の湯水であることを特徴とする熱融通設備。
【請求項４】
請求項２記載の熱融通設備において、浴槽と、前記貯湯タンク内の湯水を循環させて前記浴槽内の湯水の熱を前記貯湯タンク内に回収する熱回収回路とを備え、前記室内機側熱交換器に熱を与えるのは、前記浴槽内の湯水の熱を回収して昇温した前記貯湯タンク内の湯水であることを特徴とする熱融通設備。
【請求項５】
請求項１〜４のいずれか１項に記載の熱融通設備において、前記室外機側熱交換器を蒸発器として機能させて前記被空調空間の暖房を行い該室外機側熱交換器に生じた霜を、前記貯湯タンク内の湯水の熱を前記熱交換回路及び前記熱媒循環回路を介して前記室外機側熱交換器に与えて、除去することを特徴とする熱融通設備。
【請求項６】
請求項１〜５のいずれか１項に記載の熱融通設備において、前記室外機側熱交換器から前記熱媒循環回路に取り込んだ外気の熱を、前記熱交換回路を介して、前記貯湯タンク内の湯水に与えて加熱することを特徴とする熱融通設備。
【請求項７】
請求項１〜６のいずれか１項に記載の熱融通設備において、前記室内機側熱交換器から前記熱媒循環回路に取り込んだ前記被空調空間内の熱を、前記熱交換回路を介して、前記貯湯タンク内の湯水に与えて、前記被空調空間の冷房と共に前記貯湯タンク内の湯水の加熱を行うことを特徴とする熱融通設備。
【発明の詳細な説明】
【技術分野】
【０００１】
本発明は、空気温調装置と給湯装置の間で熱交換を行う熱融通設備に関する。
【背景技術】
【０００２】
空気温調装置は、特許文献１に記載されているように、室外機側熱交換器で吸収した熱を室内機側熱交換器から放出して暖房し、室内機側熱交換器で熱を吸収して室外機側熱交換器から放熱し冷房する。
また、給湯装置は、特許文献２に記載されているように、貯湯タンク内の沸き上げを行い給湯用の湯を貯留する。
【先行技術文献】
【特許文献】
【０００３】
【特許文献１】特開２００８−１４４９９０号公報
【特許文献２】特開２０１２−２２０１１９号公報
【発明の概要】
【発明が解決しようとする課題】
【０００４】
しかしながら、空気温調装置と給湯装置は、それぞれ、別個の独立した装置であるため、一方の熱を他方が利用することはできなかった。
本発明は、かかる事情に鑑みてなされるもので、空気温調装置及び給湯装置の一方から他方へ熱を供給可能な熱融通設備を提供することを目的とする。
【課題を解決するための手段】
【０００５】
前記目的に沿う本発明に係る熱融通設備は、被空調空間を温度調整する室内機側熱交換器と屋外に配置された室外機側熱交換器が熱媒循環回路によって接続された空気温調装置と、貯湯タンク内に湯水を貯留する給湯装置と、前記貯湯タンク内の湯水と前記熱媒循環回路を流れる熱媒を熱交換する熱交換回路とを備え、前記熱交換回路を介した前記貯湯タンク内から前記熱媒循環回路への熱の供給、及び、前記熱交換回路を介した前記熱媒循環回路から前記貯湯タンク内への熱の供給のいずれか一方、又は、双方を行う。
【０００６】
本発明に係る熱融通設備において、前記貯湯タンク内の湯水の熱を、前記熱交換回路及び前記熱媒循環回路を介して前記室内機側熱交換器に与え、該室内機側熱交換器から放熱して前記被空調空間の暖房を行うのが好ましい。
【０００７】
本発明に係る熱融通設備において、浴槽と、前記貯湯タンク内の湯水を循環させて前記浴槽内の湯水に熱を与える追焚き回路とを備え、前記室内機側熱交換器に熱を与えるのは、前記浴槽内の湯水に熱を与えて温度が低下した前記貯湯タンク内の湯水であるのが好ましい。
【０００８】
本発明に係る熱融通設備において、浴槽と、前記貯湯タンク内の湯水を循環させて前記浴槽内の湯水の熱を前記貯湯タンク内に回収する熱回収回路とを備え、前記室内機側熱交換器に熱を与えるのは、前記浴槽内の湯水の熱を回収して昇温した前記貯湯タンク内の湯水であるのが好ましい。
【０００９】
本発明に係る熱融通設備において、前記室外機側熱交換器を蒸発器として機能させて前記被空調空間の暖房を行い該室外機側熱交換器に生じた霜を、前記貯湯タンク内の湯水の熱を前記熱交換回路及び前記循環回路を介して前記室外機側熱交換器に与えて、除去するのが好ましい。
【００１０】
本発明に係る熱融通設備において、前記室外機側熱交換器から前記熱媒循環回路に取り込んだ外気の熱を、前記熱交換回路を介して、前記貯湯タンク内の湯水に与えて加熱するのが好ましい。
【００１１】
本発明に係る熱融通設備において、前記室内機側熱交換器から前記熱媒循環回路に取り込んだ前記被空調空間内の熱を、前記熱交換回路を介して、前記貯湯タンク内の湯水に与えて、前記被空調空間の冷房と共に前記貯湯タンク内の湯水の加熱を行うのが好ましい。
【発明の効果】
【００１２】
本発明に係る熱融通設備は、貯湯タンク内の湯水と熱媒循環回路を流れる熱媒を熱交換する熱交換回路を備えて、熱交換回路を介した貯湯タンク内から熱媒循環回路への熱の供給、又は、熱交換回路を介した熱媒循環回路から貯湯タンク内への熱の供給の少なくとも１つを行うので、空気温調装置及び給湯装置の一方から他方へ熱を供給可能である。
【図面の簡単な説明】
【００１３】
【図１】本発明の一実施の形態に係る熱融通設備の空気温調装置の回路図である。
【図２】同熱融通設備の給湯装置の回路図である。
【図３】外気の熱を利用した暖房の様子を示す説明図である。
【図４】熱を外気に放出する冷房の様子を示す説明図である。
【図５】貯湯タンク内の熱を利用した暖房の様子を示す説明図である。
【図６】貯湯タンク内の熱を利用した除霜の様子を示す説明図である。
【図７】外気の熱を利用した貯湯タンク内の加熱の様子を示す説明図である。
【図８】冷房と共に貯湯タンク内の加熱を行う様子を示す説明図である。
【発明を実施するための形態】
【００１４】
続いて、添付した図面を参照しつつ、本発明を具体化した実施の形態につき説明し、本発明の理解に供する。
図１、図２に示すように、本発明の一実施の形態に係る熱融通設備１０は、被空調空間を温度調整する室内機側熱交換器１１と屋外に配置された室外機側熱交換器１２が熱媒循環回路１３によって接続された空気温調装置１４と、貯湯タンク１５内に湯水を貯留する給湯装置１６と、貯湯タンク１５内の湯水と熱媒循環回路１３を流れる熱媒を熱交換する熱交換回路１７とを備えている。以下、詳細に説明する。
【００１５】
空気温調装置１４は、図１に示すように、屋外に配置された筺体１８及び被空調空間内（本実施の形態では、室内）に配置された筺体１９を備えている。筺体１８内には、室外機側熱交換器１２、圧縮機２０及び膨張弁２１が設けられ、筺体１９内には、室内機側熱交換器１１が設けられている。
室外機側熱交換器１２、圧縮機２０、膨張弁２１及び室内機側熱交換器１１は、熱媒（以下、「熱媒Ｒ１」と言う）が循環する熱媒循環回路１３によって接続され、熱媒Ｒ１は、圧縮機２０の作動により、熱媒循環回路１３を循環する。
【００１６】
熱媒循環回路１３には、圧縮機２０から吐出された熱媒Ｒ１の送り先を切り替える四方弁２２が設けられている。四方弁２２が、圧縮機２０から吐出された熱媒を室内機側熱交換器１１に送る一次位置の状態にあるとき、図３に示すように、圧縮機２０で圧縮された熱媒Ｒ１は、室内機側熱交換器１１を通過中に凝縮して被空調空間に放熱した後、膨張弁２１で減圧され、室外機側熱交換器１２を通過中に蒸発して外気から吸熱し、圧縮機２０で再び圧縮される。これによって、被空調空間の暖房が行われる。
【００１７】
一方、四方弁２２が、圧縮機２０から吐出された熱媒Ｒ１を室外機側熱交換器１２に送る二次位置の状態にあるとき、図４に示すように、圧縮機２０で圧縮された熱媒Ｒ１は、室外機側熱交換器１２を通過中に凝縮して外気に放熱し、膨張弁２１で減圧された後、室内機側熱交換器１１を通過しながら蒸発して被空調空間から吸熱し、圧縮機２０に送られる。これによって、被空調空間の冷房が行われる。
【００１８】
また、筺体１９内には、図１に示すように、室内機側熱交換器１１を通過する熱媒Ｒ１と熱交換された空気を筺体１９外に送り出すクロスフローファン２３が設けられている。
そして、筺体１８内には、室外機側熱交換器１２による熱媒Ｒ１と外気との熱交換を促進するプロペラファン２４、圧縮機２０に熱媒が液状で流入するのを防止するアキュムレータ２５、圧縮機２０の作動音を抑制するマフラ２６、熱媒循環回路１３内の水分を取り除くドライヤ２７、及び、熱媒循環回路１３を循環する熱媒Ｒ１の温度を計測する複数の温度センサ２８が設けられている。
【００１９】
更に、筺体１８内には、外気温度を計測する温度センサ２９、室外機側熱交換器１２の表面温度を計測する温度センサ３０、熱媒循環回路１３の室外機側熱交換器１２と四方弁２２の間に配置された開閉弁３１、及び、熱媒循環回路１３の室内機側熱交換器１１と膨張弁２１の間に配置された開閉弁３３が設けられている。
熱媒循環回路１３には、筺体１８、１９を接続する４つの連結部材３２が取り付けられている。
【００２０】
熱媒循環回路１３には、一方側が膨張弁２１と室内機側熱交換器１１の間に連結されたバイパス管３４が接続されている。バイパス管３４の他方側は、２つに分岐して分岐路３５、３６を形成し、分岐路３５は圧縮機２０の上流側（熱媒が流入する側）で熱媒循環回路１３に接続され、分岐路３６は圧縮機２０の下流側（熱媒が吐出される側）で熱媒循環回路１３に接続されている。
【００２１】
分岐路３５、３６には、開閉弁３７、３８がそれぞれ取り付けられている。熱媒循環回路１３を流れる熱媒Ｒ１は、開閉弁３７が開かれた状態で分岐路３５に流入可能となり、開閉弁３７が閉じられた状態で、分岐路３５に流入できなくなる。これと同様に、熱媒循環回路１３を流れる熱媒Ｒ１は、開閉弁３８が開かれた状態で分岐路３６に流入可能となり、開閉弁３８が閉じられた状態で、分岐路３６に流入できなくなる。
本実施の形態において、開閉弁３１、３３、３７、３８は、電磁弁であるが、これに限定されず、例えば、電動弁であってもよい。
【００２２】
バイパス管３４の分岐していない領域には、バイパス管３４を流れる熱媒Ｒ１を減圧可能な膨張弁３９に加え、熱交換器４０が設けられている。バイパス管３４に接続された熱交換器４０には、熱媒（以下、「熱媒Ｒ２」と言う）が循環する熱交換回路１７が接続され、熱交換器４０は、バイパス管３４を流れる熱媒Ｒ１と熱交換回路１７を循環する熱媒Ｒ２を熱交換可能である。
【００２３】
熱交換回路１７は、図１、図２に示すように、貯湯タンク１５内の下部に配置された熱交換器４１につながっている。熱交換器４１は、貯湯タンク１５内の熱交換器４１の近傍にある湯水（湯及び水を意味する）と熱交換器４１を流れる熱媒Ｒ２を熱交換するので、熱交換回路１７は、熱媒Ｒ２の循環によって、貯湯タンク１５内の湯水とバイパス管３４を流れる熱媒Ｒ１を熱交換することができる。
ここで、バイパス管３４を通過した熱媒Ｒ１は、熱媒循環回路１３に流入することから、結果として、熱交換回路１７は、熱媒循環回路１３を流れる熱媒Ｒ１と貯湯タンク１５内の湯水を熱交換することになる。
【００２４】
熱交換回路１７には、図１に示すように、熱媒Ｒ２を蓄えたタンク４２、循環ポンプ４３及び温度センサ４４、４５が設けられている。熱媒Ｒ２は、循環ポンプ４３の作動により、図５に示すように、熱交換器４０、４１、タンク４２及び循環ポンプ４３を、順に通過して、熱交換回路１７を循環する。
温度センサ４４、４５は、それぞれ、熱交換器４１の上流側及び下流側で、熱媒Ｒ２の温度を計測する。
【００２５】
また、貯湯タンク１５は、図２に示すように、給水管４７が接続された下部と給湯管４８が連結された上部とが、湯沸し回路４９によって接続され、湯沸し回路４９に連結された熱交換器５０には、外気から吸熱するヒートポンプユニット５１が連結されている。
湯沸し回路４９に設けられたポンプ５２の作動によって、貯湯タンク１５の下部から取り出された湯水は、熱交換器５０を通過の際に、ヒートポンプユニット５１が得た外気の熱を与えられて加熱される。
【００２６】
湯沸し回路４９には、熱交換器５０の下流側に、湯沸し回路４９を流れる湯水を、貯湯タンク１５の下部に送るバイパス管５３が、三方弁５４を介して接続されている。
三方弁５４は、ヒートポンプユニット５１が、貯湯タンク１５内の湯水を加熱するのに十分な熱を外気から得ていないとき、貯湯タンク１５から湯沸し回路４９に流れ出た湯水の送り先をバイパス管５３にし、ヒートポンプユニット５１が、貯湯タンク１５内の湯水を加熱可能な状態になった際、湯水の送り先を、貯湯タンク１５の上部に切り替える。三方弁５４は、このように動作することによって、貯湯タンク１５の上部に所定温度（例えば６０℃）以下の湯が供給されるのを防止する。
【００２７】
貯湯タンク１５には、給湯管４８及び湯張り管５６を介して、浴槽５５が接続されている。湯張り管５６には、給湯管４８から供給される貯湯タンク１５内の湯水と給水管４７から供給される水とを混合する混合弁５７、浴槽５５への湯張りの際に開かれる開閉弁５８、及び、浴槽５５内の湯水の逆流を防止する逆止弁５９が設けられている。
浴槽５５には、浴槽５５の湯水を循環させる湯水循環回路６０が接続され、湯張り管５６の一部は湯水循環回路６０の一部として兼用されている。湯水循環回路６０には、浴槽５５から湯水循環回路６０に湯水を送り出す循環ポンプ６１、浴槽５５内の湯水の温度を計測する温度センサ６２、及び、湯水循環回路６０を湯水が循環しているのを検出する水流センサ６３が設けられている。
【００２８】
湯水循環回路６０には、熱交換器６４が接続され、熱交換器６４には、貯湯タンク１５内の湯水を循環させて浴槽５５の湯水に熱を与える追焚き回路６５が接続されている。追焚き回路６５は、一側及び他側が、貯湯タンク１５の上部及び下部にそれぞれ接続されている。
追焚き回路６５に設けられた循環ポンプ６６の作動により、貯湯タンク１５内の湯水は、貯湯タンク１５の上部から追焚き回路６５に流入し、熱交換器６４を通過中に湯水循環回路６０を循環する浴槽５５内の湯水を加熱した後、貯湯タンク１５の下部に送られる。
【００２９】
浴槽５５から湯水循環回路６０に流れ出た湯水は、追焚き回路６５を流れる貯湯タンク１５の湯水から吸熱して、浴槽５５に戻り、浴槽５５内の湯水全体の温度を上昇させる。これによって、浴槽５５内の湯水の追焚きが行われる。
浴槽５５内の湯水に熱を与えて温度が低下した貯湯タンク１５内の湯水の温度は、浴槽５５内の湯水の温度等により異なるが、本実施の形態では、３５〜４５℃になる。
【００３０】
追焚き回路６５の他側（貯湯タンク１５の下部に接続されている側）は、貯湯タンク１５内の湯水を循環させて浴槽５５内の湯水の熱を貯湯タンク１５内に回収する熱回収回路６７の一部に兼用されている。熱回収回路６７は、一側及び他側が共に貯湯タンク１５の下部に接続されている。熱交換器６４及び循環ポンプ６６は、追焚き回路６５及び熱回収回路６７の共用領域に設けられ、熱回収回路６７から独立した追焚き回路６５と追焚き回路６５から独立した熱回収回路６７が合流する箇所には、貯湯タンク１５の湯水の取り出し元を切り替える三方弁６８が取り付けられている。
【００３１】
三方弁６８が貯湯タンク１５の上部から湯を取り出す状態では、循環ポンプ６６の作動によって、貯湯タンク１５の上部の湯が追焚き回路６５を経由して貯湯タンク１５の下部に送られる。これに対し、三方弁６８が貯湯タンク１５の下部から湯を取り出す状態では、循環ポンプ６６の作動によって、貯湯タンク１５の下部の湯水が熱回収回路６７を経由して貯湯タンク１５の下部に送られる。
【００３２】
熱回収回路６７を流れる貯湯タンク１５の下部からの湯水は、熱交換器６４を通過中に湯水循環回路６０を循環する浴槽５５内の湯水から吸熱して昇温した後、貯湯タンク１５の下部に送られる。これによって、浴槽５５内の湯水の貯湯タンク１５内への熱回収が行われる。
浴槽５５内の湯水から吸熱して貯湯タンク１５内に流入する湯水の温度は、浴槽５５内の湯水の温度等にもよるが、本実施の形態では、３０〜４５℃になる。
【００３３】
貯湯タンク１５の下部には、熱回収回路６７に送り出される湯水の温度を計測する温度センサ６９が設けられ、温度センサ６９が計測した温度及び温度センサ６２が計測した浴槽５５内の湯水の温度を基に、図示しない制御手段が、浴槽５５内の湯水の熱回収が可能であるか否かを判定し、熱回収が可能と判定した場合に、循環ポンプ６１、６６を作動して浴槽５５内の湯水の熱回収を開始する。なお、制御手段は、例えばマイクロコンピュータであり、三方弁５４、６８や開閉弁５８等の動作を制御する。
また、貯湯タンク１５の下部には、貯湯タンク１５内の熱交換器４１の配置高さにある湯水の温度を計測する温度センサ７０が取り付けられている。
【００３４】
また、熱融通設備１０は、貯湯タンク１５内の湯水の熱を利用して、被空調空間の暖房や、室外機側熱交換器１２に生じた霜の除去を行うことができる。以下、貯湯タンク１５内の湯水の熱を利用した被空調空間の暖房、及び、貯湯タンク１５内の湯水の熱を利用した室外機側熱交換器１２の除霜について説明する。
【００３５】
貯湯タンク１５内の湯水の熱を用いて被空調空間を暖房する際、図５に示すように、制御手段によって、四方弁２２は一次位置の状態にされ、膨張弁２１及び開閉弁３８は閉じられ、開閉弁３３、３７は開かれ、膨張弁３９は通過する熱媒Ｒ１を減圧する状態にされた上で、圧縮機２０及び循環ポンプ４３が作動する。
これによって、熱媒Ｒ２は、熱交換回路１７を循環し、圧縮機２０から吐出された熱媒Ｒ１は、室内機側熱交換器１１、膨張弁３９、熱交換器４０を順に通過した後、圧縮機２０に送られて再び圧縮機２０から吐出される。
【００３６】
このとき、熱交換器４０において、熱交換器４１を通過して貯湯タンク１５内の湯水から吸熱した熱媒Ｒ２と、膨張弁３９を通過して減圧された熱媒Ｒ１との間で熱交換がなされ、熱媒Ｒ２の熱が熱媒Ｒ１に与えられて、熱媒Ｒ１は蒸発する。熱媒Ｒ２から吸熱した熱媒Ｒ１は、圧縮機２０によって圧縮された後、室内機側熱交換器１１を通過の際に凝縮して被空調空間に放熱する。
従って、貯湯タンク１５内の湯水の熱が、熱交換回路１７、バイパス管３４、及び、熱媒循環回路１３を介して、室内機側熱交換器１１に与えられ、室内機側熱交換器１１から放熱されて被空調空間の暖房が行われることになる。
【００３７】
貯湯タンク１５内の熱交換器４１の近傍の湯水が、被空調空間を暖房するのに必要とされる温度であるか否かは、制御手段が、温度センサ７０の計測温度を基に判定する。
ここで、被空調空間の気温が７℃のとき、熱交換器４１の近傍の貯湯タンク１５内の湯水の温度が１０℃以上であれば、被空調空間の暖房が可能であることが確認されている。
本実施の形態において、浴槽５５内の湯水の熱回収が完了した後、あるいは、浴槽５５内の湯水の追焚きが完了した後、貯湯タンク１５内の熱交換器４１近傍の湯水の温度は、３０〜４５℃であり、これは、被空調空間の暖房が可能な温度であることを意味する。
【００３８】
本実施の形態では、室内機側熱交換器１１に熱を与える湯水に、追焚きによって浴槽５５内の湯水に熱を与えて温度が低下した貯湯タンク１５内の湯水や、浴槽５５内の湯水の熱を回収して昇温した貯湯タンク１５内の湯水を利用することができる。貯湯タンク１５内の湯水において、３０〜４５℃の湯水は、給湯用に利用するには低温であるため、３０〜４５℃の湯水を被空調空間の暖房に利用するのは有効である。
【００３９】
次に、貯湯タンク１５内の湯水の熱を用いた室外機側熱交換器１２の除霜について説明する。室外機側熱交換器１２が、図３に示すように、蒸発器として機能し、室内機側熱交換器１１が凝縮器として機能して被空調空間の暖房を行う（このとき、開閉弁３７、３８は閉じられている）と、室外機側熱交換器１２の表面に霜が生じることがある。
室外機側熱交換器１２に生じた霜を除去するには、図６に示すように、制御手段によって、四方弁２２は二次位置の状態にされ、開閉弁３３、３８は閉じられ、膨張弁２１は開かれ、膨張弁３９は通過する熱媒Ｒ１を減圧する状態にされた上で、圧縮機２０及び循環ポンプ４３が作動する。
【００４０】
これによって、膨張弁３９を通過して減圧された熱媒Ｒ１は、熱交換器４０を通過中に、熱交換回路１７を循環している熱媒Ｒ２から吸熱して蒸発し、圧縮機２０により圧縮された後、室外機側熱交換器１２を通過中に凝縮して室外気側熱交換器１２に生じている霜を除去する。
なお、本実施の形態において、膨張弁２１（他の膨張弁についても同じ）を開くとは、熱媒Ｒ１を減圧することなく通過させる状態を意味する。ここで、図５、図６では、熱交換器４０において、熱媒Ｒ１と熱媒Ｒ２が同じ向きに流れているが、熱交換回路１７を設計変更して、熱交換器４０において、熱媒Ｒ２が熱媒Ｒ１に対して逆向きに流れるようにしてもよい。
【００４１】
室外機側熱交換器１２の除霜は、貯湯タンク１５内の湯水の熱を利用せずとも、図４に示すように、四方弁２２を二次位置の状態にし、開閉弁３７、３８を閉じ、室外機側熱交換器１２を凝縮器として機能させ、室内機側熱交換器１１を蒸発器として機能させることによっても、取り除くことが可能であるが、室内機側熱交換器１１が蒸発器として機能するため、被空調空間内の温度を低下させることになる。これに対し、貯湯タンク１５内の湯水の熱を利用した室外機側熱交換器１２の除霜は、被空調空間の温度を低下させないため、有効である。
ここで、貯湯タンク１５内の湯水の熱を用いた被空調空間の暖房、及び、貯湯タンク１５内の湯水の熱を利用した室外機側熱交換器１２の除霜は、熱交換回路１７を介した貯湯タンク１５内から熱媒循環回路１３への熱の供給にあたる。
【００４２】
また、四方弁２２が、図７に示すように、一次位置の状態にされ、開閉弁３３、３７が閉じられ、開閉弁３８及び膨張弁２１が開かれ、膨張弁３９が通過する熱媒Ｒ１を減圧する状態にされて、圧縮機２０及び循環ポンプ４３が作動することによって、膨張弁３９を通過して減圧された熱媒Ｒ１は、室外機側熱交換器１２を通過中に蒸発して外気から熱を取り込み、圧縮機２０によって圧縮された後、熱交換器４０を通過中に凝縮して、熱交換回路１７を循環する熱媒Ｒ２に熱を与えるようになる。
熱媒Ｒ１から熱を与えられた熱媒Ｒ２は、熱交換器４１を通過中に、貯湯タンク１５内の湯水に放熱して、貯湯タンク１５内の湯水を加熱する。
【００４３】
従って、本実施の形態における熱融通設備１０は、室外機側熱交換器１２から熱媒循環回路１３に取り込んだ外気の熱を、熱交換回路１７を介して、貯湯タンク１５内の湯水に与えて、貯湯タンク１５内の湯水を加熱することができる。この貯湯タンク１５内の湯水の加熱（即ち、室外機側熱交換器１２から取り込んだ外気の熱を利用した貯湯タンク１５内の湯水の加熱）は、単独で行ってもよいし、ヒートポンプユニット５１の作動による貯湯タンク１５内の湯水の加熱と共に行ってもよい。
【００４４】
そして、四方弁２２が、図８に示すように、二次位置の状態にされ、開閉弁３１、３７が閉じられ、開閉弁３３、３８が開かれ、膨張弁３９が通過する熱媒Ｒ１を減圧する状態にされて、圧縮機２０及び循環ポンプ４３が作動することによって、膨張弁３９を通過して減圧された熱媒Ｒ１は、室内機側熱交換器１１を通過中に蒸発して被空調空間から熱を取り込み、圧縮機２０によって圧縮された後、熱交換器４０を通過中に凝縮して、熱交換器４０を通過中の熱媒Ｒ２に熱を与えるようになる。
【００４５】
熱交換器４０を通過の際に、熱媒Ｒ１から熱を得た熱媒Ｒ２は、熱交換器４１を通過中に、貯湯タンク１５内の湯水に熱を与えて加熱する。
従って、熱融通設備１０は、室内機側熱交換器１１から熱媒循環回路１３に取り込んだ被空調空間内の熱を、熱交換回路１７を介して、貯湯タンク１５内の湯水に与えて、被空調空間の冷房と共に貯湯タンク１５内の湯水の加熱を行うことができる。
室内機側熱交換器１１から熱媒循環回路１３に取り込んだ被空調空間内の熱を利用した貯湯タンク１５内の湯水の加熱、及び、室外機側熱交換器１２から取り込んだ外気の熱を利用した貯湯タンク１５内の湯水の加熱は、熱交換回路１７を介した熱媒循環回路１３から貯湯タンク１５内への熱の供給にあたる。
【００４６】
以上、本発明の実施の形態を説明したが、本発明は、上記した形態に限定されるものでなく、要旨を逸脱しない条件の変更等は全て本発明の適用範囲である。
例えば、熱交換回路に接続された熱交換器は、貯湯タンク内でなく、貯湯タンク外に配置してもよい。熱交換回路に接続された熱交換器を貯湯タンク外に配置する場合、熱交換回路に接続された熱交換器に貯湯タンク内の湯水を貯湯タンクから取り出す回路を接続して、貯湯タンク内から取り出した湯水と熱交換回路を循環する熱媒Ｒ２が熱交換できるようにすればよい。
また、熱交換回路によって熱媒Ｒ２と熱交換されるのは、貯湯タンク内の下部の湯水に限定されず、追焚き回路から貯湯タンクに湯水が流入する高さ位置等に応じて、その他の高さ位置の湯水、例えば、貯湯タンクの上部や上下方向中央部の湯水であってもよい。
【００４７】
そして、室内機側熱交換器を収容した筺体は、温度調整した空気を被空調空間に供給できれば、被空調空間外に配置されてもよい。例えば、温度調整した空気の吹き出し口と被空調空間をダクトで接続することによって、室内機側熱交換器を収容した筺体は、被空調空間外である床下や屋根裏に配置可能である。
更に、室内機側熱交換器は、被空調空間に温度調整した空気を供給するものではなく、被空調空間の床に設置されて、床暖房及び床冷房の少なくとも１を行うものであってもよい。
また、熱融通設備は、熱交換回路を介した貯湯タンク内から熱媒循環回路への熱の供給、及び、熱交換回路を介した熱媒循環回路から貯湯タンク内への熱の供給のいずれか一方のみを行うように設計されていてもよい。
【符号の説明】
【００４８】
１０：熱融通設備、１１：室内機側熱交換器、１２：室外機側熱交換器、１３：熱媒循環回路、１４：空気温調装置、１５：貯湯タンク、１６：給湯装置、１７：熱交換回路、１８、１９：筺体、２０：圧縮機、２１：膨張弁、２２：四方弁、２３：クロスフローファン、２４：プロペラファン、２５：アキュムレータ、２６：マフラ、２７：ドライヤ、２８、２９、３０：温度センサ、３１：開閉弁、３２：連結部材、３３：開閉弁、３４：バイパス管、３５、３６：分岐路、３７、３８：開閉弁、３９：膨張弁、４０、４１：熱交換器、４２：タンク、４３：循環ポンプ、４４、４５：温度センサ、４７：給水管、４８：給湯管、４９：湯沸し回路、５０：熱交換器、５１：ヒートポンプユニット、５２：ポンプ、５３：バイパス管、５４：三方弁、５５：浴槽、５６：湯張り管、５７：混合弁、５８：開閉弁、５９：逆止弁、６０：湯水循環回路、６１：循環ポンプ、６２：温度センサ、６３：水流センサ、６４：熱交換器、６５：追焚き回路、６６：循環ポンプ、６７：熱回収回路、６８：三方弁、６９、７０：温度センサ
【図１】
2015232410.tif 000003
【図２】
2015232410.tif 000004
【図３】
2015232410.tif 000005
【図４】
2015232410.tif 000006
【図５】
2015232410.tif 000007
【図６】
2015232410.tif 000008
【図７】
2015232410.tif 000009
【図８】
2015232410.tif 000010